(57)【要約】      （修正有）【課題】ステップボルト取着作業を簡略化し作業者の安全性を向上する。【解決手段】ステップボルト支持装置では、送電線等の鉄塔脚部Ｌ字アングル材を幅方向から抑圧係止する手段と、該抑圧係止手段から突出固定したステップボルト３０とからなる。前記抑圧係止手段は、前記Ｌ字アングル材の角部外側に沿った形状の直角凹部２を有する断面Ｌ字型支持部本体１と、該支持部本体に螺合し前記Ｌ字アングル材の幅方向に突出する２本の係止ボルト１０Ａ，１０Ｂと、該係止ボルトの各々にスライド可能に挿通され前記Ｌ字アングル材の厚さに相当する嵌合用凹部２１Ａ，２１Ｂを有する係止片２０Ａ，２０Ｂとからなる。【選択図】図１
2009278853.tif 000002
【特許請求の範囲】
【請求項１】
送電線等の鉄塔脚部Ｌ字アングル材を幅方向から抑圧係止する手段と、該抑圧係止手段から突出固定したステップボルトとからなることを特徴とするステップボルト支持装置。
【請求項２】
前記抑圧係止手段が、前記Ｌ字アングル材の角部外側に沿った形状の直角凹部を有する断面Ｌ字型支持部本体と、該支持部本体に螺合し前記Ｌ字アングル材の幅方向に突出する２本の係止ボルトと、該係止ボルトの各々にスライド可能に挿通され前記Ｌ字アングル材の厚さに相当する嵌合用凹部を有する係止片とからなることを特徴とする請求項１記載のステップボルト支持装置。
【請求項３】
前記ステップボルトが、前記支持部本体に螺合し前記支持部本体から外側に突出するステップボルト本体と、該ステップボルト本体の回転を抑止する回り止めナットとからなることを特徴とする請求項１または２記載のステップボルト支持装置。
【請求項４】
前記係止ボルトの各々に、緩み止め用ナットを配したことを特徴とする請求項１乃至３のいずれかに記載のステップボルト支持装置。
【発明の詳細な説明】
【技術分野】
【０００１】  本発明は、送電線等の鉄塔用に好適なステップボルト支持装置に関する。
【背景技術】
【０００２】  従来、送電線等の鉄塔を昇降する際は、鉄塔脚材にステップボルトを取着して行っている。一般的に、ステップボルトを鉄塔に取着する場合は、特許文献１に開示されているように、鉄塔脚材に穴を開けてステップボルトを挿入し、ナットにより螺着していた。【０００３】  しかしながら、鉄塔脚材に穴を開けるにはドリルを携帯して鉄塔に上り作業する必要があった。この作業は時間を要するばかりか、作業が複雑になるため作業者の安全にも関わるものであった。【０００４】
【特許文献１】特許第３０７０７２７号公報
【発明の開示】
【発明が解決しようとする課題】
【０００５】  本発明は、上述の問題点に鑑みてなされたものであり、ステップボルト取着作業を簡略化し作業者の安全性を向上することを課題とする。
【課題を解決するための手段】
【０００６】  上記課題を解決するため本発明によるステップボルト支持装置では、送電線等の鉄塔脚部Ｌ字アングル材を幅方向から抑圧係止する手段と、該抑圧係止手段から突出固定したステップボルトとからなることを特徴とする。【０００７】  前記抑圧係止手段は、前記Ｌ字アングル材の角部外側に沿った形状の直角凹部を有する断面Ｌ字型支持部本体と、該支持部本体に螺合し前記Ｌ字アングル材の幅方向に突出する２本の係止ボルトと、該係止ボルトの各々にスライド可能に挿通され前記Ｌ字アングル材の厚さに相当する嵌合用凹部を有する係止片とからなることが望ましい。【０００８】  前記ステップボルトは、前記支持部本体に螺合し前記支持部本体から外側に突出するステップボルト本体と、該ステップボルト本体の回転を抑止する回り止めナットとからなることが好適である。【０００９】  前記係止ボルトの各々に、緩み止め用ナットを配した構造とすることもできる。
【発明の効果】
【００１０】  本発明によるステップボルト支持装置では、ステップボルトを鉄塔脚材に取着する際に穴を開ける必要がないため、ドリル等の大型工具を携行する必要がなく、取着作業が容易で作業者の安全性も向上できる。
【発明を実施するための最良の形態】
【実施例】
【００１１】  以下、本発明によるステップボルト支持装置の好適な実施形態について、図面に基づいて説明する。図１は、本発明によるステップボルト支持装置の実施例を示す斜視図である。この実施例のステップボルト支持装置の正面図を図２に示す。この実施例は断面Ｌ字型支持部本体１が中心となっている。支持部本体１の内側には直角凹部２が設けてあり、この直角凹部２に隣接する端面には係止ボルト１０Ａおよび１０Ｂが支持部本体に螺号されている。それぞれの係止ボルト１０Ａおよび１０Ｂには、支持部本体１側に開口部を有する嵌合用凹部２１Ａ及び２１Ｂをそれぞれ有する係止片２０Ａおよび２０Ｂが挿通穴（図３の４Ａおよび４Ｂ）を通してスライド可能に装着されている。また、支持部本体１の外側に突出するようにステップボルト３０が配置され、ナット３２により支持部本体に固着されている。【００１２】  ステップボルト３０は、前もって支持部本体１に螺合し、ナット３２により支持部本体１に固着されている。一方、係止ボルト１０Ａ及び１０Ｂは、係止片２０Ａ及び２０Ｂを装着した状態で支持部本体１に螺合されているが、回転可能に緩めた状態にされている。【００１３】  このステップボルト支持装置を塔脚のＬ字型アングル材に取着する際は、図３に示したように、Ｌ字型アングル材の幅方向両端部から係止片を嵌合した状態で係止ボルト１０Ａおよび１０Ｂを締め付けることにより、支持部本体１と２つの係止片１０Ａ及び１０Ｂとの圧縮応力により、ステップボルト支持装置がＬ字型アングル材に固定される。従って、塔脚に穴を開けることなくステップボルトを取着することができる。【００１４】  図１から図３に示した実施例のステップボルト支持装置により、通常は十分な取着強度が得られるが、ステップボルトを取付けたままの状態で長期間維持するような場合は、係止ボルト１０Ａおよび１０Ｂにさらに緩み止めナットを装着し、Ｌ字型アングルに固定した後で、この緩み止めナットを締め付けることにより、より固着の安全性を高めることもできる。【００１５】  上記実施例においては、係止片と係止ボルトによる取着機構を示したが、本発明の主旨はＬ字型アングル材を幅方向から抑圧係止する手段と、この抑圧係止手段の一部から突出固定したステップボルトからなることを特徴とするため、本発明の意図を逸脱しない範囲において種々の改変がなし得ることは言うまでもない。
【産業上の利用可能性】
【００１６】  本発明によるステップボルト支持装置によれば、ステップボルトを鉄塔脚材に取着する際に穴を開ける必要がないため、ドリル等の大型工具を携行する必要がなく、取着作業が容易で作業者の安全性も向上できるため、鉄塔の保守点検作業の効率化に大いに貢献できるものである。
【図面の簡単な説明】
【００１７】
【図１】本発明によるステップボルト支持装置の実施例の斜視図である。
【図２】図１に示した実施例の正面図である。
【図３】図１に示したステップボルト支持装置の実施例をＬ字アングル材に取着した状態を示す断面図である。
【符号の説明】
【００１８】１                  支持部本体
２                  直角凹部
３                  ステップボルト固定用雌ネジ
４Ａ、４Ｂ          係止ボルト用雌ネジ
１０Ａ、１０Ｂ      係止ボルト
１１Ａ、１１Ｂ      係止ボルト雄ネジ部
２０Ａ、２０Ｂ      係止片
２１Ａ、２１Ｂ      嵌合用凹部
２２Ａ、２２Ｂ      挿通穴
３０                ステップボルト
３１                ステップボルト雄ネジ部
３２                ナット
４０                塔脚Ｌ字アングル材
【図１】
2009278853.tif 000003
【図２】
2009278853.tif 000004
【図３】
2009278853.tif 000005